(57)【要約】【課題】低コストかつ簡素な機構で、操作ロッドに絡まり付こうとするつる草等の紐状物を切断でき、これにより紐状物の絡まり付きを防止できる草刈機を提供する。【解決手段】少なくとも回転刈刃１２の回転時及び草刈作業の動作時に動かないように操作ロッド１１に固定され、草刈作業の動作時に操作ロッド１１に絡まり付く紐状物を切断する、絡まり付き防止用の固定刈刃１３を備える。【選択図】図１
2011015671.tif 000002
【特許請求の範囲】
【請求項１】
操作ロッドに固定され、少なくとも回転刈刃の回転時及び草刈作業の動作時に動かないように操作ロッドに固定され、草刈作業の動作時に操作ロッドに絡まり付く紐状物を切断する絡まり付き防止用の固定刈刃と、を備えた草刈機。
【請求項２】
前記絡まり付き防止用の固定刈刃の刃線が操作ロッドに対して斜めになるように角度調整された前記絡まり付き防止用の固定刈刃を操作ロッドに固定した請求項１記載の草刈機。
【請求項３】
前記絡まり付き防止用の固定刈刃の刃線が操作ロッドに対して斜めになるように固定刈刃を形成し、操作ロッドに固定した請求項１記載の草刈機。
【請求項４】
前記絡まり付き防止用の固定刈刃に刃物を構成して操作ロッドに固定した草刈機。
【請求項５】
前記絡まり付き防止用の固定刈刃を覆う保護カバーを構成した請求項１、請求項２、請求項３、請求項４記載の草刈機。
【発明の詳細な説明】
【技術分野】
【０００１】  本発明は、草刈機の操作ロッド（ギアケースを含みます。）につる草等の紐状物の絡まり付きを防止することができる固定刈刃を操作ロッドに設ける構造に関するものである。
【背景技術】
【０００２】  草刈作業時、立草は草刈機の回転刈刃との角度があり刈取りできるが、つる草等の紐状物は地際を這うように成長しており、回転刈刃との刈取角度がない状態となるので、回転刈刃では切断が困難となり、草刈機の操作ロッドにつる草等の紐状物が絡まり付きます。また、無理に刈り取りを行うと回転刈刃の回転軸につる草等の紐状物が多く巻き付いたり、回転刈刃が地面と接触して小石が飛散、回転刈刃の欠刃等と、草刈機の思わぬ動作を招き、作業能率が低下する。【０００３】  従来、回転刈刃の回転軸につる草等の紐状物の巻き付きを防止する技術が提案されている。
【先行技術文献】
【特許文献】
【０００４】
【特許文献１】  特開２００７−６０９５８号公報
【特許文献２】  実開平５−２９３３１号公報
【発明の概要】
【発明が解決しようとする課題】
【０００５】  上記従来の技術は、回転刈刃の回転軸に巻き付く紐状物を切断する巻き付き防止刃で、固定式と回転式があり、この技術では操作ロッドの紐状物の絡まりを切断しにくいという問題がある。【０００６】  本発明は、この問題を解決するためになされたものであり、操作ロッドの紐状物を切断し、これにより紐状物の絡まり付きを防止でき、切断し押し退けることにより、回転刈刃の回転軸の紐状物の巻き付きを減少できる草刈機用固定刈刃を提供することを目的とする。
【課題を解決するための手段】
【０００７】  上記目的を達成するために、本発明の草刈機は、操作ロッドの回転刈刃の上部に固定され、草刈作業の払う動作により、絡まり付く紐状物を切断する固定刈刃を設けている。【０００８】  このような、草刈機の操作ロッドに絡まる紐状物を切断する固定刈刃を設けたため、紐状物の絡まり付きを防止でき、回転刈刃の回転軸に巻き付いた紐状物の巻き付きを減少することができる。【０００９】  なお、この草刈機の切断手段は、草等を刈ることができれば特に限定されず、例えば、円盤の外周に外周刃が設けられた刈刃であってもよいし、数本の刃が回転軸に対して相対向して設けられた刈刃であってもよいし、樹脂製の紐であってもよい。【００１０】  また、前記絡まり付き防止の固定刈刃の刃線が操作ロッドに対して斜めになるように、固定刈刃取付具で固定してもよいし、絡まり付き防止の固定刈刃の形状を湾曲状、扇状、鎌状等に形成し操作ロッドに固定するようにしてもよい。【００１１】  これにより、操作ロッドに紐状物が絡み付こうとしたときに、草刈作業の払う動作に伴って紐状物が刃線に沿ってせり上がるような状態となり、容易に切断することができる。【００１２】  また、前記絡まり防止の固定刈刃を覆う保護カバーを取付けるようにして、草刈作業休止時、回転刈刃の交換時、移動格納時等の安全を図ることができる。【００１３】  さらに、鎌等の刃物を絡まり防止の固定刈刃として代用し、操作ロッドに取付具を設けて取り付けることもできる。
【発明の効果】
【００１４】  上述したように、本発明の草刈機によれば、草刈機の操作ロッドに絡まり付く紐状物を切断する絡まり付き防止の固定刈刃を設けるようにしたため、低コストかつ簡素な機構で紐状物の絡まりを防止でき、回転刈刃の回転軸に巻き付く紐状物を固定刈刃で先ず押し退けるので、巻き付きを減少できる優れた効果を有する。
【発明を実施するための最良の形態】
【００１５】  以下、本発明の実施の形態を図１〜図８に基づいて詳細に説明する。【００１６】  図１は本実施の形態に係る草刈機１０の平面図、図２は草刈機１０の側面図、図３及び図４は草刈機１０の平面図、図５は草刈機１０の正面図、図６は草刈機の１０の側面図、図７及び図８は草刈機１０の平面図である。【００１７】  この草刈機１０は、不図示の動力発生部で発生した動力を回転刈刃１２に動力伝達機構である操作ロッド１１から伝達された動力によって回転円盤の外周に複数個の外周刃が設けられた回転刈刃１２を備えている。なお、外周刃の図示は省略する。【００１８】  操作ロッド１１には、草刈作業時に操作ロッド１１に絡まり付く紐状物を切断する絡まり付き防止用の固定刈刃１３が固定されている。図１及び図２に示すように、操作ロッド１１に絡まり付く紐状物を切断する固定刈刃１３を回転刈刃１２に接触しない位置と、絡まり付く紐状物を切断するのに好適な位置に固定刈刃取付具１４にて固定している。【００１９】  図１及び図３〜図５に固定刈刃１３の切刃側を刃線で示した。固定刈刃１３は、その刃線が操作ロッド１１に対して斜めになるように、図３（Ａ）は単体の固定刈刃取付具１４で、図３（Ｂ）は２箇所に高さの異なる固定刈刃取付具１４により刃線角度及び位置調整された状態で操作ロッド１１に固定されている。また、図４（Ａ）、（Ｂ）、（Ｃ）は、操作ロッド１１に対して刃線が斜めになるように、刃の形状を変えて固定刈刃支持具１４により、位置調整された状態で操作ロッド１１に固定されている。また、  図５及び図６は、固定刈刃１３が操作ロッド１１に対して捻じれる角度（図２の固定刈刃１３から図６の固定刈刃１３の取付状態）に位置調整され固定している。このように、刃線を操作ロッド１１に対して斜めにすることにより、操作ロッド１１に紐状物が絡まり付こうとしたときに、草刈作業の払う動作Ｂに伴って紐状物が刃線に沿ってせり上がるような状態となり、これにより紐状物の絡まり付き防止の固定刈刃１３に対する擦り量が増大し、容易に紐状物を切断することができる。また、紐状物に対して、回転刈刃１２は横方向の横切断になり、固定刈刃１３は縦方向の縦切断となる。【００２０】  図７は、固定刈刃１３に固定刈刃１３を覆う保護カバー１５を操作ロッド１１に沿ってスライド式に取り付けられている。このように、保護カバー１５を取り付けることによって、回転刈刃１２の刈刃交換時、または草刈作業休止時、または運搬格納時など身体への危害防止をすることができる。図８は、草刈鎌２３が操作ロッド１１に草刈鎌用取付具２４によって固定されている。このように、操作ロッド１１に装着の固定刈刃１３は、操作ロッド１１が鎌の柄の代わりとなるので、大型の草刈鎌の役目を果たすことができる。【００２１】  図１〜図７の固定刈刃取付具１４は、固定刈刃１３側は固定刈刃１３にネジ止めできる穴を設け、操作ロッド１１側は操作ロッド１１を挟み込むようにして両側をネジ止めして固定している。【００２２】  次に、草刈機１０と作業者の動作について説明する。【００２３】  作業者が、草刈機１０を支持した状態で、不図示の動力発生部で動力を発生させる。動力発生部で発生した動力は操作ロッド１１に���って、回転刈刃１２に伝達される。この動力によって回転刈刃１２は図１に示す回転刈刃回転方向Ａに回転し、作業者は、図１に示す払い動作Ｂの方向へ回転刈刃１２と操作ロッド１１を移動する払い動作Ｂの連続により草等を刈り進むことができる。【００２４】  以上説明したように、操作ロッド１１に絡まり付く紐状物を切断する固定刈刃１３を操作ロッド１１に固定したため、操作ロッド１１に絡まり付く紐状物を容易に切断することができる。【００２５】  なお、上記実施の形態では、図１の払い動作Ｂ方向に固定刈刃１３を固定したが、その固定位置は絡まり付こうとする紐状物を切断できる位置であれば特に限定されず、操作ロッド１１を軸に必要とする方向に固定するようにしてもよい。【００２６】  また、上記実施の形態では、図７の保護カバー１５を固定刈刃１３に沿ってスライド式にして操作ロッド１１に固定したが、保護カバー１５を着脱できるようにしてもよく、スライド式のカバー取付具１６は固定刈刃取付具１４と兼用してもよい。【００２７】  また、上記実施の形態では、固定刈刃取付具１４は一つの取付穴を設けたが、これに限らず、例えば、固定刈刃取付具１３と固定刈刃１３にネジ止めできる穴を複数個、あるいは、細長い形状の取付穴を設け、ネジ等で斜めになるように角度調整して固定してもよい。また、操作ロッド１１側は操作ロッド１１を挟み込むようにしてレバーを操作すると取付具が締まる構成にしてもよい。【００２８】  さらにまた、上記実施の形態では、ネジ止めにより固定刈刃１３を固定しているが、これに限らず、例えば、固定刈刃１３に片面または、両面の刃線に沿って溝を設け固定刈刃取付具１４の固定刈刃１３側を爪付きに構成された取付具で溝に爪を入れて挟み込むように固定してもよい。【００２９】  また、上記実施の形態では、図３及び図４（Ｂ）（Ｃ）に示すように、操作ロッド１１と固定刈刃１３の間に隙間がある取付具で説明したが、これに限定されず、図４（Ａ）に示すように、操作ロッド１１と固定刈刃１３の隙間を無くし密着するように形成した固定刈刃１３としてもよく、固定刈刃１３と固定刈刃取付具１４を一体形成してもよい。これにより、操作ロッド１１と固定刈刃１３との隙間に刈草、紐状物等の侵入を防ぐことができる。【００３０】  また、上記実施の形態では、回転刈刃１２を切断手段として用いた草刈機を例に挙げて説明したが、これに限定されず、例えば、２本の刃が回転軸に対して相対向して設けられた刈刃を草刈機であってもよいし、樹脂製の紐等を用いた草刈機であってもよい。
【図面の簡単な説明】
【００３１】
【図１】本発明の実施の形態に係る草刈機の平面図である。
【図２】本発明の実施の形態に係る草刈機の側面図である。
【図３】本発明の実施の形態に係る草刈機の平面図である。
【図４】本発明の実施の形態に係る草刈機の平面図である。
【図５】本発明の実施の形態に係る草刈機の正面図である。
【図６】本発明の実施の形態に係る草刈機の側面図である。
【図７】本発明の実施の形態に係る草刈機の平面図である。
【図８】本発明の実施の形態に係る草刈機の平面図である。
【符号の説明】
【００３２】  １０  草刈機
１１  操作ロッド
１２  回転刈刃
１３  固定刈刃
１４  固定刈刃取付具
１５  保護カバー
１６  カバー取付具
２３  鎌
２４  鎌柄取付具
Ａ    回転刈刃回転方向
Ｂ    払い動作
【図１】
2011015671.tif 000003
【図２】
2011015671.tif 000004
【図３】
2011015671.tif 000005
【図４】
2011015671.tif 000006
【図５】
2011015671.tif 000007
【図６】
2011015671.tif 000008
【図７】
2011015671.tif 000009
【図８】
2011015671.tif 000010